(57)【特許請求の範囲】
【請求項１】
プラグ主体の正面壁の対角線状において相対するコーナー部をそれぞれ所要幅で切欠き、互いに接続しない正面視L字状の段部を形成し、この正面視L字状の段部との間に条溝が形成されるようプラグ主体の外周部に、防塵用の薄肉のカバー部材を前記正面壁から突出するよう設けるとともに、カバー部材の一部に前記条溝内に浸入した液体を外部に排水するための排水孔を形成したこと
を特徴とするトラッキング防止用プラグ。
【請求項２】
前記プラグ主体は、
正面壁に設けられたブレード間に凸状の隔壁を、その先端面が前記カバー部材から突出しないよう形成したこと
を特徴とする請求項１に記載のトラッキング防止用プラグ。
【請求項３】
前記カバー部材は、
薄肉の弾性材からなるものであって、プラグ主体の上下面上に位置する壁面を断面山形ないし円弧状に形成し、かつ前記排水孔の近傍の側壁を肉厚に形成したこと
を特徴とする請求項１に記載のトラッキング防止用プラグ。
【発明の詳細な説明】
【０００１】
【発明の属する技術分野】
この発明は、プラグの長期使用に際して生じ易いコンセントとの隙間に、塵埃が蓄積することによって、あるいは水などが流れ込むことによって生ずるトラッキングを効果的に防止することのできるトラッキング防止用プラグに関するものである。
【０００２】
【従来の技術】
コンセントに対してプラグを接続する場合、往々にしてコンセントとプラグの先端面との間に隙間が生じ易く、この状態を長く放置して使用を続けると、両者間に形成された隙間に塵埃が蓄積し、この塵埃が湿気を帯びるとブレード間に電流が流れて塵埃が発熱し、プラグが炭化して発火するトラッキングが生じることが良く知られている。
【０００３】
かかるトラッキングを防止するため、たとえば、特開平９−１８５９７１号公報においては、プラグの接触刃側の外周に防塵用薄肉部を形成したトラッキング防止付プラグが、また、特開平９−１１５５８７号公報においては、プラグ本体のブレードとブレードとの間に凹欠部を形成した電源プラグが提案されている。
【０００４】
【発明が解決しようとする課題】
前記したトラッキング現象を防止する方法は、トラッキング現象の原因である塵埃による導電路を遮断、または塵埃をプラグとコンセント間隙に侵入させないことによって、ブレード間に導電路を形成することがない点で利点を有するものであるが、いずれの方法も問題としているのは塵、埃などの塵埃であって、プラグとコンセントとの間隙に水が浸入することについては問題としておらず、これらの方法では、水の浸入に対する対策が十分にされていなかった。
【０００５】
特に、冷蔵庫、電子レンジ、洗面台、洗濯機などの水を取り扱う電気器具は、台所、浴室、洗面室、トイレなどの水場において使用されると共に、これらの電気器具はプラグをコンセントに接続したまま長期にわたって使用される場合が多いので、水対策が考慮されていないプラグは、コンセントとの間隙に塵埃とともに、水が入り込み易く、トラッキング現象を引き起こす可能性が高く、その改善が望まれている。
【０００６】
この発明はかかる現状に鑑み、水などの液体がプラグとコンセントとの間隙に浸入したとしても、浸入した液体を容易にプラグ外に排水させることのできるトラッキング防止用プラグを提供するせんとするものである。
【０００７】
【課題を解決するための手段】
前記目的を達成するため、この発明の請求項１に記載の発明は、
プラグ主体の正面壁の対角線状において相対するコーナー部をそれぞれ所要幅で切欠き、互いに接続しない正面視L字状の段部を形成し、この正面視L字状の段部との間に条溝が形成されるようプラグ主体の外周部に、防塵用の薄肉のカバー部材を前記正面壁から突出するよう設けるとともに、カバー部材の一部に前記条溝内に浸入した液体を外部に排水するための排水孔を形成したこと
を特徴とするトラッキング防止用プラグである。
【０００８】
また、この発明の請求項２に記載の発明は、
請求項１に記載のトラッキング防止用プラグにおいて、
前記プラグ主体は、
正面壁に設けられたブレード間に凸状の隔壁を、その先端面が前記カバー部材から突出しないよう形成したこと
を特徴とするものである。
【０００９】
また、この発明の請求項３に記載の発明は、
請求項１に記載のトラッキング防止用プラグにおいて、
前記カバー部材は、
薄肉の弾性材からなるものであって、プラグ主体の上下面上に位置する壁面を断面山形ないし円弧状に形成し、かつ前記排水孔の近傍の側壁を肉厚に形成したこと
を特徴とするものである。
【００１０】
【発明の実施の形態】
以下、この発明のトラッキング防止用プラグの好適な実施の形態を添付の図面に基づいて説明するが、この発明のトラッキング防止用プラグは、図示のものにのみ限定されるものではなく、発明の要旨を変更しない範囲内において種々変更することができるものである。
【００１１】
この発明のトラッキング防止用プラグ１は、図１で明らかなように、一対のブレード２，２を設けたプラグ主体の正面壁３の対角線上において相対するコーナー部をそれぞれ横方向および縦方向に連続して切欠き、正面視Ｌ字状の段部４ａと４ｂを形成するとともに、この正面視Ｌ字状の段部４ａと４ｂとの間に条溝ＸおよびＹが形成されるようプラグ主体の外周部に、カバー部材５を、その先端面が前記正面壁３から突出するようにして設けたもので、このカバー部材５の一部には、前記条溝ＸまたはＹ内に浸入した漏水などの水を外部に排水するための排水孔６が形成されている。
【００１２】
このカバー部材５は合成樹脂からなる薄肉の筒状体で構成され、プラグ主体全体を被覆するものであっても、正面壁３近傍の外周部のみを被覆するものであってもよく、要は、その内周壁と前記プラグ主体に形成された正面視Ｌ字状の段部４ａと４ｂとの間に条溝ＸおよびＹが形成されものであれば、二色成形によってプラグ主体に一体的に形成されたものであっても、別途製作されたものであってもよい。
【００１３】
前記プラグ主体の正面壁３の対角線上に形成する正面視Ｌ字状の段部４ａ，４ｂは、プラグの使用に際して上下に関係なく、コンセントに差し込むことができるようにするため対称的に配置されたもので、条溝ＸとＹとが互いに連続しないよう対角線上に位置する他のコーナー部に遮断部４ｃが形成され、また、正面壁３の中央部には、上下方向に沿って凸状の隔壁７を設けることによって、左右のブレード３，３を分離させ、塵埃や水による導電路の形成を確実に防止することができるので好ましい。
【００１４】
また、前記カバー部材５は、プラグ主体の上面および下面に位置する壁面の断面を山形ないし円弧状に形成することによって、カバー部材５の表面への塵埃の堆積を防止することができるとともに、万一、カバー部材５に水がかかっても速やかに流れ落ちてカバー部材５内に浸入することがない。
【００１５】
さらに、カバー部材５に形成される排水孔６の近傍の側壁５ｂを肉厚に形成しておけば、側壁５ｂを伝って落下する水が排水孔６から条溝ＸまたはＹ内に浸入することがないので好ましい。
【００１６】
かかる構造のトラッキング防止用プラグ１は、使用に際してブレード２，２をコンセントに押し付けて差し込むと、カバー部材５の先端部が弾性変形してコンセント面に密着し、カバー部材５内に塵埃や漏水などが入り込むことがなく、何らかの理由によってカバー部材５内に水などの液体が浸入しても、液体は段部４ａ，４ｂとカバー部材５の内周面との間に形成された条溝ＸまたはＹに沿って下方に流れ、排水孔６から外部に排水されるので、ブレード２，２間にトラッキング現象が生ずるおそれのないものである。
【００１７】
【発明の効果】
この発明のトラッキング防止用プラグは、プラグ主体の正面壁の対角線上に位置するコーナー部にそれぞれ所要幅の正面視Ｌ字状の段部を形成し、この正面視Ｌ字状の段部を囲撓するようにして薄肉の弾性材からなるカバー部材をプラグ主体の正面壁より突出させて設け条溝を形成し、このカバー部材の一部に排水孔を設けているので、塵埃や漏水などの液体がカバー部材内に入り込むことがなく、万一、漏水がカバー部材内に浸入しても前記条溝から速やかに外部に排水されるのでトラッキング現象が生じるおそれのないものである。
【００１８】
特に、この発明のトラッキング防止用プラグは、ブレードが設けられるプラグ主体の正面壁に、正面視Ｌ字状の段部を形成することによって、浸入した水などが直ちにカバー部材との間に形成される条溝内に流入するよう形成されているので、ブレード間で水によるトラッキング現象が生じ難く、かつブレード間に両者を分離する隔壁を形成することによって、より確実にトラッキングの発生を防止することが可能なものである。
【００１９】
また、プラグ主体に設けられるカバー部材の表面部を山形ないし円弧状に傾斜させることによって、塵埃の堆積を可及的に防止し、降りかかった水などを速やかに四方に逸散させてブレード間に水が付着しないので、より安全なプラグを提供することができる。
【図面の簡単な説明】
【図１】この発明に係るトラッキング防止用プラグの一例を示す斜視図である。
【図２】図１に示すトラッキング防止用プラグの一部切欠き正面図である。
【符号の説明】
１          トラッキング防止用プラグ
２          ブレード
３          プラグ主体の正面壁
４ａ，４ｂ  段部
５          カバー部材
５ｂ        カバー部材の側壁
６          排水孔
７          隔壁
Ｘ，Ｙ      条溝
【図１】
0003653505.tif 000002
【図２】
0003653505.tif 000003